(57)【要約】【課題】静電気によって発生する電流による悪影響を効果的に防止でき、小型化を図る上で有利なレンズ鏡筒および撮像装置を提供する。【解決手段】自動露光装置１６１０は２群レンズ枠１６０２の前部に取着されフレキシブル基板１６１２を介して供給される制御信号によって動作する。フレキシブル基板１６１２は、第１配線部と第２配線部とを有している。第１配線部の一端は自動露光装置１６１２の接続端に電気的に接続され、他端は鏡筒１０外部の電気回路に電気的に接続される。第２配線部は、第１配線部とは別に設けられた少なくとも１つの導通線を有し、この導通線の一端が自動露光装置１６１０を介して２群レンズ枠１６０１上に接続され、前記導通線の他端が鏡筒１０外部の接地電位箇所に電気的に接続される。【選択図】        図９
2005301158.tif 000002
【特許請求の範囲】
【請求項１】
ベースと、前記ベースに対して出没可能に設けられた沈胴式の鏡筒とを有し、
前記鏡筒は、撮影光学系を構成し被写体像を導くレンズと、前記レンズを保持するレンズ枠と、前記レンズ枠に設けられ供給される制御信号に基づいて撮影にまつわった動作を行う動作部とを備え、
前記鏡筒の内部に、前記鏡筒の外部に設けられた電気回路から前記動作部に前記制御信号を供給するフレキシブル基板が配設されたレンズ鏡筒であって、
前記フレキシブル基板は、前記制御信号が供給される第１配線部と、前記第１配線部とは別に設けられ一端が前記レンズ枠上に接続され他端が接地電位に電気的に接続された第２配線部とを有する、
ことを特徴とするレンズ鏡筒。
【請求項２】
前記レンズ枠は、前記撮影光学系の光軸方向に移動可能に配設されていることを特徴とする請求項１記載のレンズ鏡筒。
【請求項３】
前記レンズ枠には、前記撮影光学系の光路における光量を調節する光量調整機構が設けられ、前記動作部は前記光量調整機構であることを特徴とする請求項１記載のレンズ鏡筒。
【請求項４】
前記レンズ枠には、前記撮影光学系の光路を開閉するシャッタ機構が設けられ、前記動作部は前記シャッタ機構であることを特徴とする請求項１記載のレンズ鏡筒。
【請求項５】
前記鏡筒は、前記ベースに対して出没する第１鏡筒と、前記第１鏡筒に対して出没する第２鏡筒とを備え、前記レンズ枠は前記第１鏡筒の内部に光軸方向に移動可能に配設され、前記第１鏡筒および第２鏡筒の内部で前記第２鏡筒の先端と前記レンズ枠との間に前後方向に延在して前記レンズ枠を前方に付勢する金属製のコイルスプリングが設けられ、前記コイルスプリングの後端は前記第２配線部に電気的に接続されていることを特徴とする請求項１記載のレンズ鏡筒。
【請求項６】
前記鏡筒は、前記ベースに対して出没する第１鏡筒と、前記第１鏡筒に対して出没する第２鏡筒とを備え、第２鏡筒の先端に中央に前記撮影光学系の光路を形成する開口が設けられた金属製の化粧板が取着され、前記レンズ枠は前記第１鏡筒の内部に光軸方向に移動可能に配設され、前記第１鏡筒および第２鏡筒の内部で前記第２鏡筒の先端と前記レンズ枠との間に前後方向に延在して前記レンズ枠を前方に付勢する金属製のコイルスプリングが設けられ、前記コイルスプリングの後端は前記第２配線部に電気的に接続されていることを特徴とする請求項１記載のレンズ鏡筒。
【請求項７】
前記コイルスプリングの前端は前記化粧板に弾接していることを特徴とする請求項６記載のレンズ鏡筒。
【請求項８】
ベースと、前記ベースに対して出没可能に設けられた沈胴式の鏡筒とを有し、
前記鏡筒は、撮影光学系を構成し被写体像を導くレンズと、前記レンズにより導かれた被写体像を撮像する撮像素子と、前記レンズを保持するレンズ枠と、前記レンズ枠に設けられ供給される制御信号に基づいて撮影にまつわった動作を行う動作部とを備え、
前記鏡筒の内部に、前記鏡筒の外部に設けられた電気回路から前記動作部に前記制御信号を供給するフレキシブル基板が配設された撮像装置であって、
前記フレキシブル基板は、前記制御信号が供給される第１配線部と、前記第１配線部とは別に設けられ一端が前記レンズ枠上に接続され他端が接地電位に電気的に接続された第２配線部とを有する、
ことを特徴とする撮像装置。
【請求項９】
前記レンズ枠は、前記撮影光学系の光軸方向に移動可能に配設されていることを特徴とする請求項８記載の撮像装置。
【請求項１０】
前記レンズ枠には、前記撮影光学系の光路における光量を調節する光量調整機構が設けられ、前記動作部は前記光量調整機構であることを特徴とする請求項８記載の撮像装置。
【請求項１１】
前記レンズ枠には、前記撮影光学系の光路を開閉するシャッタ機構が設けられ、前記動作部は前記シャッタ機構であることを特徴とする請求項８記載の撮像装置。
【請求項１２】
前記鏡筒は、前記ベースに対して出没する第１鏡筒と、前記第１鏡筒に対して出没する第２鏡筒とを備え、前記レンズ枠は前記第１鏡筒の内部に光軸方向に移動可能に配設され、前記第１鏡筒および第２鏡筒の内部で前記第２鏡筒の先端と前記レンズ枠との間に前後方向に延在して前記レンズ枠を前方に付勢する金属製のコイルスプリングが設けられ、前記コイルスプリングの後端は前記第２配線部に電気的に接続されていることを特徴とする請求項８記載の撮像装置。
【請求項１３】
前記鏡筒は、前記ベースに対して出没する第１鏡筒と、前記第１鏡筒に対して出没する第２鏡筒とを備え、第２鏡筒の先端に中央に前記撮影光学系の光路を形成する開口が設けられた金属製の化粧板が取着され、前記レンズ枠は前記第１鏡筒の内部に光軸方向に移動可能に配設され、前記第１鏡筒および第２鏡筒の内部で前記第２鏡筒の先端と前記レンズ枠との間に前後方向に延在して前記レンズ枠を前方に付勢する金属製のコイルスプリングが設けられ、前記コイルスプリングの後端は前記第２配線部に電気的に接続されていることを特徴とする請求項８記載の撮像装置。
【請求項１４】
前記コイルスプリングの前端は前記化粧板に弾接していることを特徴とする請求項１３記載の撮像装置。
【発明の詳細な説明】
【技術分野】
【０００１】
本発明はレンズ鏡筒および撮像装置に関する。
【背景技術】
【０００２】
デジタルスチルカメラやデジタルビデオカメラ等の撮像装置において、その外装を構成するケースに静電気による帯電や放電が生じると、このような帯電や放電による電流がケースを介してケース内部に設けられた電気回路に流れ込み、電気回路の動作や電気回路を構成する電子部品に悪影響を及ぼす。
このため、撮像装置のケースを電気回路の接地電位に接続する導電部材を設けることが知られている（例えば特許文献１参照）。
【特許文献１】特開２００３−３１５８８８号公報
【発明の開示】
【発明が解決しようとする課題】
【０００３】
一方、ケースに対して出没可能に設けられた沈胴式の鏡筒を有する撮像装置で、前記鏡筒に、レンズを保持するレンズ枠が設けられ、このレンズ枠に供給される制御信号に基づいて動作する動作部が設けられ、また、前記鏡筒の内部に、鏡筒の外部に設けられた電気回路から前記動作部に前記制御信号を供給するフレキシブル基板が配設されたものがある。
このような撮像装置においては、鏡筒がケースの前方に突出した状態で静電気による帯電や放電が突出した鏡筒の前部などに生じると、上記の従来技術のようにケースが接地電位に接続されていたとしても、前記帯電や放電による電流が鏡筒部分から空中放電により前記フレキシブル基板に流れ込み、フレキシブル基板を介して前記電気回路に伝達され、電気回路の動作や電気回路を構成する電子部品に悪影響を与えるおそれがある。
【０００４】
また、近年、鏡筒の小型化が図られるにつれて鏡筒とフレキシブル基板との間隔が狭くなっており、前記静電気による電流がフレキシブル基板に伝達されやすくなっている。
本発明は、このような事情に鑑みなされたものであり、その目的は静電気によって発生する電流による悪影響を効果的に防止でき、小型化を図る上で有利なレンズ鏡筒および撮像装置を提供することにある。
【課題を解決するための手段】
【０００５】
上述の目的を達成するため、本発明のレンズ鏡筒は、ベースと、前記ベースに対して出没可能に設けられた沈胴式の鏡筒とを有し、前記鏡筒は、撮影光学系を構成し被写体像を導くレンズと、前記レンズを保持するレンズ枠と、前記レンズ枠に設けられ供給される制御信号に基づいて撮影にまつわった動作を行う動作部とを備え、前記鏡筒の内部に、前記鏡筒の外部に設けられた電気回路から前記動作部に前記制御信号を供給するフレキシブル基板が配設されたレンズ鏡筒であって、前記フレキシブル基板は、前記制御信号が供給される第１配線部と、前記第１配線部とは別に設けられ一端が前記レンズ枠上に接続され他端が接地電位に電気的に接続された第２配線部とを有することを特徴とする。
また、本発明の撮像装置は、ベースと、前記ベースに対して出没可能に設けられた沈胴式の鏡筒とを有し、前記鏡筒は、撮影光学系を構成し被写体像を導くレンズと、前記レンズにより導かれた被写体像を撮像する撮像素子と、前記レンズを保持するレンズ枠と、前記レンズ枠に設けられ供給される制御信号に基づいて撮影にまつわった動作を行う動作部とを備え、前記鏡筒の内部に、前記鏡筒の外部に設けられた電気回路から前記動作部に前記制御信号を供給するフレキシブル基板が配設された撮像装置であって、前記フレキシブル基板は、前記制御信号が供給される第１配線部と、前記第１配線部とは別に設けられ一端が前記レンズ枠上に接続され他端が接地電位に電気的に接続された第２配線部とを有することを特徴とする。
【発明の効果】
【０００６】
本発明によれば、鏡筒が突出状態にある際に、外部からの静電気により、鏡筒の先端やその近傍箇所に放電あるいは帯電が生じて電流が流れると、この電流は第２配線部を介して接地電位に導かれる。
その結果、前記電流は、撮像装置の電気回路や撮像素子に流れることがないため、これら電気回路や撮像素子の動作、あるいは、電気回路を構成する電子部品や撮像素子に悪影響が加わることを確実に防止することができる。
また、鏡筒とフレキシブル基板との間隔が狭い場合であっても、静電気による電流を接地電位に確実に導くことによって悪影響を確実に防止できるので、レンズ鏡筒および撮像装置の小型化を図る上で有利となる。
【発明を実施するための最良の形態】
【０００７】
静電気によって発生する電流による悪影響を効果的に防止し小型化を図るという目的を、接地電位に接続された第２配線部を鏡筒内部に配設されたフレキシブル基板に設けることによって実現した。
【実施例１】
【０００８】
次に本発明の実施例１について図面を参照して説明する。
図１は実施例１の撮像装置の斜視図、図２は実施例１の撮像装置の構成を示すブロック図である。
図１に示すように、本実施例の撮像装置１００はデジタルスチルカメラであり、外装を構成するケース１０２を有している。
ケース１０２の前面右側部寄りの箇所には撮影光学系１０４を収容保持する沈胴式の鏡筒１０が設けられ、ケース１０２の前面上部寄りの箇所には閃光を発光するフラッシュ部１０６、光学式ファインダ４０（図５）の対物レンズ１０８などが設けられている。
鏡筒１０はケース１０２の内部に組み込まれた駆動部１２４（図２）によってケース１０２の前面から前方に突出した使用位置（広角状態、望遠状態、および広角乃至望遠の中間状態）とケース１０２の前面に収容された収容位置（沈胴状態）との間を出没するように構成されている。
ケース１０２の上端面にはシャッタボタン１１０が設けられ、ケース１０２の後面には、前記光学式ファインダの接眼窓（不図示）、電源のオンオフ、撮影モード、再生モードの切替など種々の操作を行なうための複数の操作スイッチ１１２、撮像した映像を表示するディスプレイ１１４（図２）などが設けられている。
【０００９】
図２に示すように、鏡筒１０の後部には、撮影光学系１０４によって結像された被写体像を撮像するＣＣＤやＣＭＯＳセンサなどで構成された撮像素子１１６が配設され、撮像装置１００は、撮像素子１１６から出力された撮像信号に基づいて画像データを生成し、メモリカードなどの記憶媒体１１８に記録する画像処理部１２０、前記画像データをディスプレイ１１４に表示させる表示処理部１２２、駆動部１２４、操作スイッチ１１２やシャッタボタン１１０の操作に応じて画像処理部１２０、表示処理部１２２、駆動部１２４を制御するＣＰＵなどを含む制御部１２６などを備えている。
【００１０】
次に、鏡筒１０の概略構成について説明する。
図３は鏡筒１０の状態を説明する斜視図で、（Ａ）が不使用時のレンズ収納状態すなわち沈胴状態を示すもの、（Ｂ）が使用時のレンズ突出状態（広角状態あるいは望遠状態）を示す。図４は鏡筒１０の断面図であり、（Ａ）が沈胴状態、（Ｂ）が広角状態、（Ｃ）が望遠状態を示すものである。図５は鏡筒１０の分解斜視図である。
【００１１】
図３に示すように、鏡筒１０は、ケース１０２に固定されるベース１２に取着されている。
図４に示すように、鏡筒１０は光学的には３群構成である。すなわち、鏡筒１０の光軸方向で被写体側を前方とし、前記光軸方向で撮像素子１１６側を後方としたとき、鏡筒１０を構成する３群は、前方から後方に向かってこの順番で配設された１群レンズ１４、２群レンズ１６、３群レンズ１８によって構成されている。
鏡筒１０は、１群レンズ１４と２群レンズ１６が所定のカムカーブにより光軸方向に駆動されることによってズーミングを行い、３群レンズ１８が光軸方向に微小に変位されることによってフォーカッシングを行う。すなわち、１群レンズ１４と２群レンズ１６の変位によって焦点距離を可変し、この焦点距離の変化によって生じた合焦位置のずれを３群レンズ１８の変位によって修正し適切に合焦させるように構成されている。
【００１２】
図５に示すように鏡筒１０は、１群、２群レンズ１４，１６を前記光軸方向に移動させる構成として、固定環２０、回転環２２、カム環２４（特許請求の範囲の第１鏡筒に相当）、直進案内環２６などが用いられ、３群レンズ１８を光軸方向に移動させる構成として雌ねじ部材、雄ねじ部材などが用いられている。
本実施例では、１群レンズ群１４の前部に撮影光学系の光路を開閉するバリア機構３０が設けられている。
【００１３】
具体的に説明すると、固定環２０はベース１２に対して固定されており、固定環２０の内周面には、図６に示すように、周方向に延在するカム溝２００２，２００４と、撮影光学系の光軸方向と平行に延在する直進案内溝２００６とが設けられている。
回転環２２は、固定環２０の外周に回転可能にかつ光軸方向に移動不能に設けられている。
回転環２２にはその内周面と外周面を貫通し周方向に延在する複数のカム溝２２０２が設けられ、内周面には光軸方向に沿って直線的に延在する直進溝２２０５が設けられ、外周面後部にはギア部２２０４が周方向に所定の長さ延在形成され、また、回転環２２の後端には回転位置検知用の複数のフィン２２０６が突設されている。
ギア部２２０４はベース１２に取着された回転環駆動機構２３のギア２３０２に噛合され、回転環駆動機構２３から供給される回転駆動力がギア２３０２とギア部２２０４を介して回転環２２に供給されることで回転環２２が光軸を中心に回転駆動されるように構成されている。
回転環駆動機構２３は、ギア２３０２を回転駆動するＤＣモータと、このＤＣモータまたはギア２３０２の回転数をカウントするためのロータリエンコーダと、フィン２２０６の移動を検知するフォトセンサとを有し、これらロータリエンコーダおよびフォトセンサの検出信号に基づいて回転環２２の回転速度または回転位置制御を行うように構成されている。
３群レンズ１８は３群レンズ枠１８０２で保持され、３群レンズ枠１８０２は、ベース１２に光軸方向に移動可能にかつ光軸を中心に回転できないように配設されている。３群レンズ移動機構２８は、３群レンズ枠１８０２に連結された雌ねじ部材に螺合される雄ねじ部材（リードスクリュー）と、この雄ねじ部材を回転駆動するモータとを有し、このモータが回転駆動されることにより３群レンズ１８を光軸方向に移動させフォーカシング動作がなされるように構成されている。
カム環２４は、固定環２０の径方向内側箇所に回転可能にかつ前記光軸方向に移動可能に設けられ、カム環２４の内周面には、図７に示すように、カム溝２４０２，２４０４が設けられ、図５に示すように、カム環２４の後端には径方向外方向に突出する３つの凸部２４０６が周方向に間隔をおいて設けられている。そして、これら３つの凸部２４０６が固定環２０のカム溝２００２，２００４に係合した状態で、カム環２４が固定環２０に対して回転運動することでこれら３つの凸部２４０６が固定環２０のカム溝２００２，２００４に沿って動かされることによりカム環２４が前記光軸方向に移動される。
さらに、固定環２０のカム溝２００２の少なくとも１つは径方向に貫通しており、前記貫通したカム溝２００２に対応するカム環２４の凸部２４０６に設けられた不図示のアームの先端が前記カム溝２００２を通って回転環２２の直進溝２２０５に係合されている。これにより、カム環２４と回転環２２は固定環２０に対して連動して回転する。すなわち、回転環２２を回転させると、カム環２４は回転しながら光軸方向に移動する。
直進案内環２６は、カム環２４の径方向内側箇所に回転不能にかつ前記光軸方向にカム環２４と連動して移動可能に設けられている。詳しく説明すると、直進案内環２６の後端には径方向外方に突出する３つの凸部２６０２が周方向に間隔をおいて設けられている。そして、これら３つの凸部２６０２がカム環２４の後方を通って固定環２０の直進案内溝２００８に係合した状態でカム環２４が固定環２０に対して回転運動することでこれら３つの凸部２６０２が固定環２０の直進案内溝２００８に沿って動かされ、これにより直進案内環２６は回転せずにカム環２４と連動して光軸方向にのみ移動される。
また、直進案内環２６には、前縁の径方向を挟んだ２箇所から案内片２６０４がそれぞれ光軸方向と平行に前方に突設されている。
【００１４】
２群レンズ１６は２群レンズ枠１６０２に保持されている。２群レンズ枠１６０２はカム環２４の内周に配設され、２群レンズ枠１６０２の外周面には、径方向を挟む２箇所に光軸方向と平行に延在し直進案内環２６の２つの案内片２６０４に案内される案内部１６０４と、径方向を挟む２箇所に光軸方向と平行に延在し前方に突出する案内レール１６０５と、カム環２４のカム溝２４０４に係合される３つのカムピン１６０６とが設けられている。
そして、案内部１６０４が案内片２６０４に案内され、かつ、３つのカムピン１６０６がカム環２４のカム溝２４０４に係合された状態で、カム環２４が回転することにより、２群レンズ１６は、回転せずにカム溝２４０４で設定されたカムカーブにより光軸方向にのみ移動する。
２群レンズ枠１６０２には、鏡筒１０内の迷光を遮断し、撮像素子１１６への迷光侵入を防止する２群遮光板１６０８が設けられている。
２群遮光板１６０８は、前記光軸に垂直な平面と平行な方向に延在する軸線回りに揺動可能に２群レンズ枠１６０２に取り付けられている。
２群遮光板１６０８は、鏡筒１０が突出した状態においては不図示の付勢部材による付勢により２群レンズ枠１６０２に設けられた不図示のストッパに当接することで迷光を遮断する遮断位置に位置され、鏡筒１０が突出状態から収納状態へ遷移する過程において、３群レンズ移動機構２８の前端部分に当て付けられることで前記遮断位置から揺動され３群レンズ移動機構２８の前端部分から退避するように構成されている。これにより、２群遮光板１６０８および２群レンズ枠１６０２をよりベース１２の近傍に位置させることができ鏡筒１０の収納状態において、２群レンズ枠１６０２が光軸方向に占有するスペースを削減する上で有利となっている。
また、２群レンズ枠１６０２には、後述する自動露光装置１６１０とフレキシブル基板１６１２が設けられている。
【００１５】
１群レンズ１４は１群レンズ枠１４０２（特許請求の範囲の第２鏡筒に相当）に保持されている。１群レンズ枠１４０２はカム環２４の内周で２群レンズ枠１６０２の前方に配設され、１群レンズ枠１６０２の内周面には、径方向を挟む２箇所に光軸方向と平行に延在し２群レンズ枠１６０２の２つの案内レール１６０５に案内される不図示の案内溝と、カム環２４のカム溝２４０４に係合される３つのカムピン１４０６とが設けられている。
そして、前記案内溝が案内レール２６０５に案内され、かつ、３つのカムピン１４０６がカム環２４のカム溝２４０２に係合された状態で、カム環２４が回転することにより、１群レンズ１４は、回転せずにカム溝２４０２で設定されたカムカーブにより光軸方向にのみ移動する。
【００１６】
また、１群レンズ枠１４の前部には鏡筒１０の体裁を整える金属製の化粧リング３２が取着され、カム環２４の前部には鏡筒の体裁を整えるための金属製の化粧リング３４が取着されている。
１群レンズ枠１４の外周とカム環２４の内周との隙間には、この隙間からゴミや迷光の侵入を防ぐ遮光リング３６が配設され、この遮光リング３６は、１群レンズ枠１４上に装着され、化粧リング３４とカム環２４との間にクリアランスを持った状態で配設されている。
カム環２４の外周と固定環２０の内周との隙間には、この隙間からゴミや迷光の侵入を防ぐための遮光リング３８が配設され、この遮光リング３８はカム環２４の外周に装着され、固定環２０の内周に弾接される。
また、光学式ファインダ４０は可動式のレンズを内蔵しておりベース１２に取着されている。前記可動式のレンズは不図示のカムピンを介して回転環２２のカム溝２２０２に連結されており、回転環２２の回転に連動して光軸方向に移動することで視野のズーミング動作がなされるように構成されている。
【００１７】
次に、自動露光装置１６１０とフレキシブル基板１６１２について詳細に説明する。
図８は１群レンズ枠１４０２と２群レンズ枠１６０２の概略構成を示す斜視図、図９は鏡筒１０の縦断面図、図１０は自動露光装置１６１０とフレキシブル基板１６１２の説明図である。なお、図８は説明の都合上各部の形状を簡略化して描いている。
図８、図９に示すように、自動露光装置１６１０はケース１６２０を備え、ケース１６２０は２群レンズ枠１６０２の前部に取着され、ケース１６２０内には撮影光学系１０４の光路を開閉するシャッタ機構と、撮影光学系１０４の光路における光量を調節する光量調整機構とが配設され、自動露光装置１６１０はシャッタ機構と光量調整機構とを含んでいる。
本実施例では、シャッタ機構が特許請求の範囲の動作部を構成しており、また、光量調整機構が特許請求の範囲の動作部を構成している。
これらシャッタ機構および光量調整機構は、撮像装置１００のケース１０２内部に組み込まれた電気回路１３０(図１１)からフレキシブル基板１６１２を介して供給される制御信号によって動作するように構成され、例えば、シャッタ機構や光量調整機構としてはモータなどの電気式アクチュエータと機械的開閉機構とを組み合わせたもの、また、光量調整機構として液晶素子を用いたものなど、これらシャッタ機構および光量調整機構として従来公知の様々な機構が採用可能である。
【００１８】
フレキシブル基板１６１２は、屈曲可能な素材で構成され、図９に示すように、一端１６１２Ａ１、１６１２Ｂ１側が自動露光装置１６１０のケース１６２０に接着により取着され、フレキシブル配線板１６１２の中間部は、屈曲された屈曲部位がカム環２４の後方を通って固定環２０の取着部２０１０で保持され、他端１６１２Ａ２、１６１２Ｂ２側が固定環２０に沿って延在されベース１２の開口１２０２から後方に導出されている。
そして、フレキシブル基板１６１２は、回転環２２の回転動作および２群レンズ枠１６０２と直進案内環２６の光軸方向の移動に追従し、連続的に前記屈曲部位が変化しながら動き、第１、第２配線部１６１２Ａ、１６１２Ｂに無理な力が加わらないように形成されている。
さらに詳しく説明すると、図１０に示すように、フレキシブル基板１６１２は、第１配線部１６１２Ａと第２配線部１６１２Ｂとを有しており、本実施例では第１配線部１６１２Ａと第２配線部１６１２Ｂは単一の基板に形成されている。
第１配線部１６１２Ａは、本実施例では、複数の導通線を有し各導通線の一端１６１２Ａ１は自動露光装置１６１２の複数の接続端に電気的にそれぞれ接続され、各導通線の他端１６１２Ａ２は鏡筒１０の外部でケース１０２内に設けられた電気回路１３０の複数の接続端に電気的にそれぞれ接続されている。
第２配線部１６１２Ｂは、第１配線部１６１２Ａとは別に設けられた少なくとも１つの導通線を有し、この導通線の一端１６１２Ｂ１が自動露光装置１６１０を介して２群レンズ枠１６０１上に接続され、前記導通線の他端１６１２Ｂ２が鏡筒１０の外部でケース１０２内に設けられた接地電位箇所に電気的に接続されている。本実施例では、第２配線部１６１２Ｂの一端１６１２Ｂ１は所定面積を有しその表面が電気的に接続可能に露出して形成されたパターン部として形成されている。
【００１９】
図８、図９に示すように、１群レンズ枠１４０２と２群レンズ枠１６０２との間には金属製の２つのコイルスプリング１５が張設されている。
２つのコイルスプリング１５は、１群レンズ枠１４０２およびカム環２４の内部で１群レンズ枠１４０２と２群レンズ枠１６０２との間に光軸と平行して前後方向に延在し１群レンズ枠１４０２と２群レンズ枠１６０２とを互いに近づける方向に付勢しており、したがって、２群レンズ枠１６０２を前方に付勢している。より詳細には、各コイルスプリング１５の両端は１群レンズ枠１４０２の内部で前端寄りに突設されたばね係止部１４１０と２群レンズ枠１６０２の前端外周寄り箇所に設けられたばね係止部１６１６とにそれぞれ係止されている。
これらコイルスプリング１５の付勢力によって、カムピン１４０６とカム溝２４０２との間のガタ、および、カムピン１６０６とカム溝２４０４との間のガタを吸収するように構成されている。
本実施例では、２つのコイルスプリング１５のうち一方のコイルスプリング１５の前端１５０２が化粧リング３２の後面に弾接することで、化粧リング３２と前記一方のコイルスプリング１５とが電気的に導通するように構成されている。
また、前記一方のコイルスプリング１５の後端は、フレキシブル基板１６１２の第２配線部１６１２Ｂの一端１６１２Ｂ１に電気的に接続されている。
詳細に説明すると、本実施例では、図５、図８に示すように、２群レンズ枠１６０２の外周面の後端寄り箇所に金属などの導電性部材から構成された導通板３１が設けられている。この導通板３１には上述したばね係止部１６１６が一体に形成されており、したがって、前記一方のコイルスプリング１５と導通板３１とは電気的に接続されている。
さらに、導通板３１は、フレキシブル配線板１６１２の第２配線部１６１２Ｂの一端１６１２Ｂ１に電気的に接続されている。
したがって、化粧板３２は、コイルスプリング１５、導通板３１、第２配線部１６１２Ｂという経路でケース１０２の接地箇所に電気的に接続されていることになる。
【００２０】
次に、本実施例の撮像装置１００の鏡筒１０に静電気による放電あるいは帯電が生じた場合について説明する。
図１１は、撮像装置１００における電気的接続を示す説明図であり、図中破線は電気的に導通している経路を示し、実線の矢印は静電気の放電、帯電によって生じた電流の流れを示している。
図１１に示すように、自動露光装置１６１２は電気回路１３０から第１配線部１６１２を介して前記制御信号が供給されることによってシャッタ機構や光量調整機構が動作する。
そして、図９、図１１に示すように、鏡筒１０が突出状態にある際に、外部からの静電気により、鏡筒１０の先端、すなわち化粧板３２やその近傍箇所に放電あるいは帯電が生じて電流が流れると、この電流は、化粧板３２、コイルスプリング１５、導通板３１、第２配線部１６１２Ｂという経路でケース１０２の接地箇所に導かれる。
その結果、前記電流は、電気回路１３０や撮像素子１６１６に流れることがないため、これら電気回路や撮像素子１６１６の動作、あるいは、電気回路１３０を構成する電子部品や撮像素子１６１６に悪影響が加わることを確実に防止することができる。
また、鏡筒１０とフレキシブル基板１６１２との間隔が狭い場合であっても、静電気による電流をケース１０２の接地箇所に確実に導くことができ、前記悪影響を確実に防止できるので、レンズ鏡筒１０や撮像装置１００の小型化を図る上で有利となる。
また、本実施例では、鏡筒１０の内部に配設されたコイルスプリング１５がケース１０２の接地箇所に導通されていることから、鏡筒１０に生じた静電気による電流が仮に鏡筒１０の前部から後部に向かって伝わる経路の途中で電流が接地レベルにあるコイルスプリング１５に導かれることになり、前記電流が鏡筒１０後部に取着された撮像素子１１６に伝達されることを確実に防止する上で有利となる。
【００２１】
図１２は比較例を示すものであり、フレキシブル基板１６１２に第２配線部１６１２Ｂが設けられていない撮像装置１００における電気的接続を示す説明図である。
この場合は、静電気により鏡筒１０に生じた電流が鏡筒１０部分を伝わって撮像素子１１６に流れ込んだり、第１配線部１６１２Ａを介して電気回路１３０に流れ込むため、電気回路１３０や撮像素子１６１６の動作、あるいは、電気回路１３０を構成する電子部品や撮像素子１６１６に悪影響が加わるおそれがある。
【００２２】
なお、本実施例では、１群レンズ枠１４０４の前部に金属製の化粧板３２が取着され、コイルスプリング１５の前端を化粧板３２に電気的に接続したが、コイルスプリング１５の前端が化粧板３２に近接して配置されていても静電気によって発生する電流をコイルスプリング１５の前端から該コイルスプリング１５に導くことができることはもちろんである。ただし、実施例のようにコイルスプリング１５の前端を化粧板３２に電気的に接続すれば、静電気によって発生する電流をコイルスプリング１５に確実に導く上でより有利となる。
また、本実施例では、１群レンズ枠１４０４の前部に金属製の化粧板３２が取着されている場合について説明したが、本発明は金属製の化粧板３２が取着されていない鏡筒にも適用できることは無論である。
また、本実施例では、撮影にまつわる動作を行う動作部としてシャッタ機構と光量調整機構を例に挙げたが、撮像装置の機能を実現するために要求される種々の動作に応じて動作部の内容が決定され、したがって、動作部はシャッタ機構と光量調整機構に限定されない。
なお、本実施例では、撮像装置としてデジタルスチルカメラを用いて説明したが、本発明は、ビデオカメラ、その他種々の撮像装置に適用可能である。
【図面の簡単な説明】
【００２３】
【図１】実施例１の撮像装置の斜視図である。
【図２】実施例１の撮像装置の構成を示すブロック図である。
【図３】鏡筒１０の状態を説明する斜視図である。
【図４】鏡筒１０の状態を説明する断面図である。
【図５】沈胴レンズの分解斜視図である。
【図６】固定環２０の展開図である。
【図７】カム環２４の展開図である。
【図８】１群レンズ枠１４０２と２群レンズ枠１６０２の概略構成を示す斜視図である。
【図９】鏡筒１０の縦断面図である。
【図１０】自動露光装置１６１０とフレキシブル基板１６１２の説明図である。
【図１１】撮像装置１００における電気的接続を示す説明図である。
【図１２】フレキシブル基板１６１２に第２配線部１６１２Ｂが設けられていない撮像装置１００における電気的接続を示す説明図である。
【符号の説明】
【００２４】
１００……撮像装置、１０４……撮影光学系、１０……鏡筒、１６……２群レンズ、１３０……電気回路、１６０２……２群レンズ枠、１６１０……自動露光装置、１６１２……フレキシブル基板、１６１２Ａ……第１配線部、１６１２Ａ１……一端、１６１２Ａ２……他端、１６１２Ｂ……第２配線部、１６１２Ｂ１……一端、１６１２Ｂ２……他端。
【図１】
2005301158.tif 000003
【図２】
2005301158.tif 000004
【図３】
2005301158.tif 000005
【図４】
2005301158.tif 000006
【図５】
2005301158.tif 000007
【図６】
2005301158.tif 000008
【図７】
2005301158.tif 000009
【図８】
2005301158.tif 000010
【図９】
2005301158.tif 000011
【図１０】
2005301158.tif 000012
【図１１】
2005301158.tif 000013
【図１２】
2005301158.tif 000014